(57)【要約】【課題】残餌や糞からなる水中沈降物を短時間で除去することができ、底部の水中沈降物の取り残しが少なく、水槽水の排出が少なく、強い水流が発生せず、魚類への悪影響が少なく、メンテナンスの必要性が少ない、魚類水槽設備を提供する。【解決手段】内部に水槽水１を保有し魚類を飼育又は養殖する水槽１２と、水槽１２の底面１２ａに沿って展張され残餌、糞からなる水中沈降物２を捕捉する透水性の捕捉布１４と、捕捉布１４を底面１２ａに展張させたままその一部を水槽１２の内壁に沿って外部まで復帰可能に移動する捕捉布移動装置１６と、水槽１２の外部において、捕捉布１４に捕捉された水中沈降物２を除去し捕捉布１４を洗浄する捕捉布洗浄装置１８と、を備える。【選択図】図１
2016054679.tif 000002
【特許請求の範囲】
【請求項１】
内部に水槽水を保有し魚類を飼育又は養殖する水槽と、
前記水槽の底面に沿って展張され、残餌又は糞からなる水中沈降物を捕捉する透水性の捕捉布と、
前記捕捉布を底面に展張させたまま、その一部を水槽の内壁に沿って外部まで復帰可能に移動する捕捉布移動装置と、
水槽の外部において、捕捉布に捕捉された水中沈降物を除去し捕捉布を洗浄する捕捉布洗浄装置と、を備える、ことを特徴とする魚類水槽設備。
【請求項２】
前記捕捉布は、水中沈降物を捕捉可能であり、かつ魚類が通過できない大きさの目を有する、ことを特徴とする請求項１に記載の魚類水槽設備。
【請求項３】
前記捕捉布は、幅が一定のエンドレスベルトであり、
前記捕捉布移動装置は、前記エンドレスベルトを水槽の底面に沿って案内する第１ベルト駆動装置である、ことを特徴とする請求項１に記載の魚類水槽設備。
【請求項４】
前記第１ベルト駆動装置は、互いに水平方向に等間隔を隔て、水槽の内部と外部との間でエンドレスに循環駆動される１対のエンドレスチェーンと、
前記エンドレスチェーンを案内する複数対のスプロケットと、
前記スプロケットを回転駆動する回転駆動装置と、を有し、
前記エンドレスベルトの幅方向両端は、前記１対のエンドレスチェーンにそれぞれ固定されている、ことを特徴とする請求項３に記載の魚類水槽設備。
【請求項５】
前記第１ベルト駆動装置は、水槽の外部において前記エンドレスベルトを水平に案内する水平案内部を有し、
前記捕捉布洗浄装置は、前記水平案内部において前記エンドレスベルトを逆洗する第１逆洗装置と、洗浄水を水中沈降物と共に回収する排液貯槽と、を有する、ことを特徴とする請求項３又は４に記載の魚類水槽設備。
【請求項６】
前記水槽に隣接する洗浄槽を備え、
前記第１ベルト駆動装置は、前記エンドレスベルトを前記洗浄槽内に案内する、ことを特徴とする請求項３又は４に記載の魚類水槽設備。
【請求項７】
前記捕捉布は、両端部を有し幅が一定のロングベルトであり、
前記捕捉布移動装置は、前記ロングベルトを水槽の底面に沿って案内する第２ベルト駆動装置である、ことを特徴とする請求項１に記載の魚類水槽設備。
【請求項８】
前記第２ベルト駆動装置は、水槽の内部と外部との間でロングベルトを案内する複数の案内ローラと、
水槽の外部において、ロングベルトの両端部をそれぞれ巻き取りする巻き戻し可能な１対の巻取装置と、を有する、ことを特徴とする請求項７に記載の魚類水槽設備。
【請求項９】
前記捕捉布洗浄装置は、前記巻取装置の巻き取り軸から洗浄水を外方に噴出して前記ロングベルトを逆洗する第２逆洗装置と、洗浄水を水中沈降物と共に回収する排液貯槽と、を有する、ことを特徴とする請求項８に記載の魚類水槽設備。
【請求項１０】
前記水槽に隣接する洗浄槽を備え、
前記第２ベルト駆動装置は、前記ロングベルトを前記洗浄槽内に案内する、ことを特徴とする請求項７に記載の魚類水槽設備。
【発明の詳細な説明】
【技術分野】
【０００１】
本発明は、魚類を飼育又は養殖するための魚類水槽設備に関する。
【背景技術】
【０００２】
魚類の飼育又は養殖において、食べ残しの餌（残餌）による水質汚染は避けては通れない問題である。残餌は水中を沈降して、水底に溜まる。そこでは、残餌を利用する微生物が繁殖し、酸素を消費し、病原菌の発生源となる。また残餌から溶出した有機物や栄養塩により周囲の水が汚染される。特に、水槽を用いた魚類の飼育又は養殖では閉鎖系であるために残餌の問題は大きい。
【０００３】
従来、残餌や糞などの水中沈降物の除去は、主として人為的な人手に頼っていた。しかし、人手による水中沈降物の除去作業は、労力がかかり、かつ人手不足の要因となっていた。
【０００４】
そこで、残餌や糞などの水中沈降物を除去する手段として、例えば特許文献１〜４が既に提案されている。
【０００５】
特許文献１では、水槽の底から気液混合水流で残餌や糞などを汲み上げて水槽外へ排出する。
【０００６】
特許文献２では、水槽の中央底部に溝を設け、水槽の底に傾斜をつけて餌や糞がその溝に落ちるようにし、溝にベルトコンベアを設置する。さらに、ベルトコンベアの進行方向端部に管を配置してエアリフトあるいはポンプでベルトコンベアが集めた餌や糞を上方まで運び、さらに、モーター付きの２つのローラに掛架したマイクロスクリーンに落として噴水装置で取り除く。
【０００７】
特許文献３では、ホースの上流端に横長の吸引ヘッドを接続し、その吸引ヘッドに重りを取り付けて水槽の底面に配置する。また、ホースを槽外に引き回してその下流端を吸引ヘッドの吸引口より低い位置に配置し、吸引ヘッドを水槽の底面に沿って往復移動させるロープを設ける。吸引ヘッドとホースの内部を水で満たしてロープを引くと、吸引ヘッドが水槽の底面に沿って移動し、底面の沈殿物が水とともにサイホンの現象で連続的に吸い上げられて排出される。
【０００８】
特許文献４では、貯水槽内底の沈殿物を水と共に吸い込む沈殿物吸引部と、貯水槽内に出し入れ自在に入れられ内底を走行する清掃ロボット部と、清掃ロボット部と吸引ポンプを介して吸引ホースで接続され吸引搬送された沈殿物を分離して除去する沈殿物分離部と、清掃ロボット部の走行及び清掃動作を監視及び制御する運転部とを備える。
【先行技術文献】
【特許文献】
【０００９】
【特許文献１】特開２００６−２１７８２２号公報
【特許文献２】特許第３９５５１９２号公報
【特許文献３】特開２０１１−１６０６９５号公報
【特許文献４】特開２００１−２９９１０号公報
【発明の概要】
【発明が解決しようとする課題】
【００１０】
上述した従来の水中沈降物の除去手段は、残餌や糞などの水中沈降物と共に、水槽内の水を外部に抜き出すため、魚類を飼育又は養殖する水槽内の水（水槽水）の排出量が多い。
また、水中沈降物を抜き出す際に、水槽内に強い水流が発生するため、魚類の養殖等に悪影響を及ぼす可能性がある。特に、残餌や糞を短時間（例えば１０〜３０分間）で除去する場合に影響が大きい。
さらに、水槽の底部の一部から水中沈降物を抜き出すため、水中沈降物の除去が不完全になりやすい。
【００１１】
例えば、特許文献２の装置では、餌や糞を水槽の底の傾斜では確実には集められない。また、ベルトコンベア上に集めた後、複数の装置を受け渡して回収するため、全体として複雑な構造となる。さらに、マイクロスクリーンでは、餌や糞を乗せた側から噴水装置で噴水するので、餌や糞が洗い流されるためにはマイクロスクリーンを通過しなければならず、大きい粒子は洗浄できない可能性がある。
【００１２】
本発明は、上述した問題点を解決するために創案されたものである。すなわち、本発明の目的は、残餌や糞からなる水中沈降物を短時間（例えば１０〜３０分間）で除去することができ、底部の水中沈降物の取り残しが少なく、水槽水の排出が少なく、強い水流が発生せず、魚類への悪影響が少なく、メンテナンスの必要性が少ない、魚類水槽設備を提供することにある。
【課題を解決するための手段】
【００１３】
本発明によれば、内部に水槽水を保有し魚類を飼育又は養殖する水槽と、
前記水槽の底面に沿って展張され、残餌又は糞からなる水中沈降物を捕捉する透水性の捕捉布と、
前記捕捉布を底面に展張させたまま、その一部を水槽の内壁に沿って外部まで復帰可能に移動する捕捉布移動装置と、
水槽の外部において、捕捉布に捕捉された水中沈降物を除去し捕捉布を洗浄する捕捉布洗浄装置と、を備える、ことを特徴とする魚類水槽設備が提供される。
【００１４】
前記捕捉布は、水中沈降物を捕捉可能であり、かつ魚類が通過できない大きさの目を有する。
【００１５】
本発明の実施形態によれば、前記捕捉布は、幅が一定のエンドレスベルトであり、
前記捕捉布移動装置は、前記エンドレスベルトを水槽の底面に沿って案内する第１ベルト駆動装置である。
【００１６】
前記第１ベルト駆動装置は、互いに水平方向に等間隔を隔て、水槽の内部と外部との間でエンドレスに循環駆動される１対のエンドレスチェーンと、
前記エンドレスチェーンを案内する複数対のスプロケットと、
前記スプロケットを回転駆動する回転駆動装置と、を有し、
前記エンドレスベルトの幅方向両端は、前記１対のエンドレスチェーンにそれぞれ固定されている。
【００１７】
前記第１ベルト駆動装置は、水槽の外部において前記エンドレスベルトを水平に案内する水平案内部を有し、
前記捕捉布洗浄装置は、前記水平案内部において前記エンドレスベルトを逆洗する第１逆洗装置と、洗浄水を水中沈降物と共に回収する排液貯槽と、を有する。
【００１８】
本発明の別の実施形態によれば、前記水槽に隣接する洗浄槽を備え、
前記第１ベルト駆動装置は、前記エンドレスベルトを前記洗浄槽内に案内する。
【００１９】
本発明の別の実施形態によれば、前記捕捉布は、両端部を有し幅が一定のロングベルトであり、
前記捕捉布移動装置は、前記ロングベルトを水槽の底面に沿って案内する第２ベルト駆動装置である。
【００２０】
前記第２ベルト駆動装置は、水槽の内部と外部との間でロングベルトを案内する複数の案内ローラと、
水槽の外部において、ロングベルトの両端部をそれぞれ巻き取りする巻き戻し可能な１対の巻取装置と、を有する。
【００２１】
前記捕捉布洗浄装置は、前記巻取装置の巻き取り軸から洗浄水を外方に噴出して前記ロングベルトを逆洗する第２逆洗装置と、洗浄水を水中沈降物と共に回収する排液貯槽と、を有する。
【００２２】
本発明の別の実施形態によれば、前記水槽に隣接する洗浄槽を備え、
前記第２ベルト駆動装置は、前記ロングベルトを前記洗浄槽内に案内する。
【発明の効果】
【００２３】
上記本発明の構成によれば、残餌又は糞からなる水中沈降物を捕捉する透水性の捕捉布が、水槽の底面に沿って展張されるので、水中沈降物を確実に、捕捉布上に捕捉することができる。
【００２４】
また、捕捉布移動装置が、捕捉布を底面に展張させたまま、その一部を水槽の内壁に沿って外部まで復帰可能に移動するので、残餌や糞からなる水中沈降物を短時間で除去することができる。またこの構成により、底部の水中沈降物の取り残しを少なくできる。さらに、捕捉布が内壁に沿って移動するので、強い水流が発生せず、魚類への悪影響を少なくできる。
【００２５】
さらに、捕捉布移動装置は捕捉布を外部まで移動するが、捕捉布は透水性であるので、捕捉布から水槽水は落下して水槽内に戻り、水槽水の排出を少なく抑えることができる。
【００２６】
また、水槽の外部において、捕捉布洗浄装置が、捕捉布に捕捉された水中沈降物を除去し捕捉布を洗浄するので、捕捉布は目詰まりを除去されて、繰り返し使用でき、メンテナンスの必要性を低減できる。
【図面の簡単な説明】
【００２７】
【図１】本発明の魚類水槽設備の第１実施形態図である。
【図２】本発明の魚類水槽設備の第２実施形態を示す平面図である。
【図３】本発明の魚類水槽設備の第３実施形態図である。
【図４】本発明の魚類水槽設備の第４実施形態を示す平面図である。
【図５】本発明の魚類水槽設備の第５実施形態を示す側面断面図である。
【図６】本発明の魚類水槽設備の第６実施形態を示す側面断面図である。
【発明を実施するための形態】
【００２８】
以下、本発明の好ましい実施形態を添付図面に基づいて詳細に説明する。なお、各図において共通する部分には同一の符号を付し、重複した説明を省略する。
【００２９】
図１は、本発明の魚類水槽設備１０の第１実施形態図である。この図において、（Ａ）は側面断面図、（Ｂ）は上部から見た平面図である。
【００３０】
この図において、本発明の魚類水槽設備１０は、水槽１２、捕捉布１４、捕捉布移動装置１６、及び捕捉布洗浄装置１８を備える。
【００３１】
水槽１２は、内部に水槽水１を保有し魚類を飼育又は養殖する飼育水槽又は養殖水槽である。なお、対象とする魚類は、主に魚であるが、水中で飼育又は養殖する限りその他の生物、例えばエビなどでもよい。水槽水１は、対象とする魚類に適した海水又は淡水である。
【００３２】
水槽１２の形状は、この例では、幅、長さ、深さがほぼ一定の矩形形状である。なお本発明は矩形形状に限定されず、幅、長さ、深さが不均一でも、一部が傾斜していても、不定形であってもよい。例えば図１（Ａ）の側面断面図の側壁１２ｂは底部ほど萎むように傾いて底面１２ａとで形成する断面が台形を逆さにした形にしてもよい。
水槽１２の大きさ（内寸）は、この例では、長さが５〜２５ｍ、幅が２〜３ｍ、深さが２〜３ｍである。なお本発明はこの大きさに限定されず、それより小さくても大きくてもよい。
【００３３】
捕捉布１４は、透水性であり、水槽１２の底面１２ａに沿って展張され、残餌又は糞からなる水中沈降物２を捕捉する。
捕捉布１４は、水中沈降物２を捕捉可能であり、かつ魚類が通過できない大きさの目（開口）を有する。目（開口）の形状は円形、矩形、または網目である。目の大きさは、残餌又は糞の大きさに応じて、例えば１〜５ｍｍである。
捕捉布１４の材質は、吸水性が少なく、水によって劣化することなく、魚類に悪影響を与えないもの、例えばナイロン、ポリエチレン、その他プラスチック、テングス、天然繊維、等であるのがよい。
【００３４】
捕捉布１４は、ろ布、細かい魚網、スポンジシートなど、表面に残餌又は糞をひっかけて捕捉でき、かつそれ自体は曲げることができる構造である。強度のある布の上に、水中沈降物２の捕捉に適した目の粗い布を貼り付けてもよい。
また、捕捉布１４を２層又は２層以上で構成し、水槽１２の底面１２ａにおいて、水中沈降物２より大きい目の層が上側、それより小さい目の層が下側になるように配置してもよい。
この構成により、水中沈降物２を確実に捕捉し、かつその通過を確実に防止することができる。
【００３５】
捕捉布移動装置１６は、捕捉布１４を底面１２ａに展張させたまま、その一部を水槽１２の内壁（底面１２ａと側壁１２ｂ）に沿って外部まで復帰可能に移動する。
ここで「底面１２ａに展張」とは、水槽１２の底面１２ａに沿って、底面１２ａの少なくとも一部（好ましくは大部分）を覆い、かつ弛み（たるみ）がなく、所定の張力でピンと張られた状態を意味する。
【００３６】
捕捉布洗浄装置１８は、水槽１２の外部において、捕捉布１４に捕捉された水中沈降物２を除去し捕捉布１４を洗浄する。
【００３７】
図１において、捕捉布１４は、幅が一定のエンドレスベルト１４Ａである。
また、捕捉布移動装置１６は、エンドレスベルト１４Ａ（捕捉布１４）を水槽１２の底面１２ａに沿って案内する第１ベルト駆動装置１７Ａである。
【００３８】
図１において、第１ベルト駆動装置１７Ａは、１対のエンドレスチェーン１９ａ、複数対のスプロケット１９ｂ、及び回転駆動装置１９ｃを有する。
【００３９】
１対のエンドレスチェーン１９ａは、互いに水平方向に等間隔を隔て、水槽１２の内部と外部との間でエンドレスに循環駆動される。１対のエンドレスチェーン１９ａは、この例では、図１（Ｂ）に示すように、水槽１２の幅方向内壁（図で上下の内壁）に沿って配置されている。
図１（Ａ）において、１対のエンドレスチェーン１９ａは水槽１２の底面１２ａに沿って図で左から右にほぼ水平に移動し、次いで右側の側壁１２ｂに沿って上方に移動し、次いで、水面上をほぼ水平に図で右から左に移動し、最後に左側の側壁１２ｂに沿って下方に移動して元の位置に戻る。
この移動は、連続的又は間欠的にエンドレスに行われる。
【００４０】
図１（Ａ）において、複数対（この例では４対）のスプロケット１９ｂは、エンドレスチェーン１９ａを案内する。
回転駆動装置１９ｃは、スプロケット１９ｂの１つを連続的又は間欠的に回転駆動し、連続的に又は間欠的にエンドレスチェーン１９ａと捕捉布１４の組合せを水槽１２の内壁に沿って外部までエンドレスに移動する。
【００４１】
また、この例において、エンドレスベルト１４Ａの幅方向両端（図１（Ｂ）の上下端部）は、１対のエンドレスチェーン１９ａにそれぞれ固定されている。
エンドレスチェーン１９ａは、曲がり部分の計４組のスプロケット１９ｂに噛み合わされ、スプロケット１９ｂの一組は回転駆動装置１９ｃにより駆動でされる。この２条のエンドレスチェーン１９ａの間を渡すように、全面に捕捉布１４が張られている。
【００４２】
なお、エンドレスチェーン１９ａの代わりにエンドレスワイヤ、又はエンドレスロープを用い、スプロケット１９ｂの代わりにガイドプーリを用いてもよい。
【００４３】
図１において、第１ベルト駆動装置１７Ａは、水槽１２の外部（この例では上部）においてエンドレスベルト１４Ａを水平に案内する水平案内部２０を有する。
捕捉布洗浄装置１８は、水平案内部２０においてエンドレスベルト１４Ａを逆洗する第１逆洗装置２１Ａと、洗浄水３を水中沈降物２と共に回収する排液貯槽２２とを有する。
【００４４】
水槽１２には水槽水１が満たされ、魚類が飼育又は養殖されている。給餌装置２３が底部にある捕捉布１４の上方の水面上に設けられ、そこから水中に餌が供給される。餌が魚に食べられたあと、食べ残しの残餌や糞は捕捉布１４の上に沈降し、捕捉布１４の表面に付着して捕捉される。そして、エンドレスチェーン１９ａの駆動によって、捕捉布１４は水面上に移動し、排液貯槽２２の上方の位置で、捕捉布１４の上方（裏側）から第１逆洗装置２１Ａにより散水される洗浄水３で洗浄される。この逆洗により残餌や糞からなる水中沈降物２は捕捉布１４から脱落し、排液貯槽２２に入る。排液貯槽２２に溜まった水中沈降物２は適切に排出、処分される。
【００４５】
上述した第１実施形態の構成により、人による清掃ではなく、自動的に食べ残しの残餌や糞からなる水中沈降物２を水槽１２から除去することができる。また、そのために、大量の水を使って水中沈降物２を洗い流すのではなく、水中沈降物２だけを回収して除去することができる。
特に、水中沈降物２の載った捕捉布１４を、水槽１２の外部（水面上で裏側）から洗浄水３で逆洗することができる。
また、使用される水は、捕捉布１４の逆洗用のみとなるので、水中沈降物２の洗浄のための水の排出を大幅に削減でき、魚の飼育のコストダウンにつながる。また、清掃のための労力を削減できる。
さらに、水中沈降物２の回収のための装置は１つであってシンプルであり、また、捕捉布１４に捕捉された水中沈降物２を裏側から洗浄するので、洗浄効率がよい。
【００４６】
図２は、本発明の魚類水槽設備１０の第２実施形態を示す平面図である。
この図において、本発明の魚類水槽設備１０の構成は、第１実施形態と同様であるが、捕捉布１４、捕捉布移動装置１６、及び捕捉布洗浄装置１８は、水槽１２の全面ではなく、その一部（この例では左端部）のみを覆っている。給餌装置２３は、魚類水槽設備１０の設置位置に設置するのがよい。
その他の構成は、第１実施形態と同様である。
この構成により、魚類水槽設備１０のない部分の水槽１２の上面を開放することができ、水槽１２の内部へのアクセスが容易になる。
【００４７】
図３は、本発明の魚類水槽設備１０の第３実施形態図であり、（Ａ）は側面断面図、（Ｂ）は上部から見た平面図である。
この図において、魚類水槽設備１０は、水槽１２に隣接する洗浄槽２４を備える。洗浄槽２４には、散気管２４ａが設置されており、洗浄槽２４内の水中に空気を供給し、内部を曝気するようになっている。
第１ベルト駆動装置１７Ａは、この例では６対のスプロケット１９ｂを備え、エンドレスチェーン１９ａとエンドレスベルト１４Ａを洗浄槽内に案内する。
なおこの例では、上述した捕捉布洗浄装置１８は省略されている。
その他の構成は、第１実施形態と同様である。
【００４８】
図３（Ａ）において、水槽１２は矩形であり、エンドレスチェーン１９ａは水槽１２の底面１２ａに沿って図で右から左にほぼ水平に移動し、左側の側壁１２ｂに沿って上方に移動し、水面上をほぼ水平に同じ方向に移動し、水槽１２を外れた洗浄槽２４の左端位置で下方に移動して、水槽１２と別に設けられた洗浄槽内に入る。また、エンドレスチェーン１９ａは洗浄槽２４を出たあと、左側の側壁１２ｂに沿って下方に移動し、底面１２ａに沿って図で左から右にほぼ水平に移動し、反転して元の位置に戻る。
この移動は、連続的又は間欠的にエンドレスに行われる。
【００４９】
第１ベルト駆動装置１７Ａ、水槽１２、給餌装置２３の構造と機能、及び捕捉布１４の構成は、第１実施形態と同じである。餌の挙動は、水面下では第１実施形態と同じであるが、捕捉布１４が水面上に出た後、洗浄槽２４に入ったところで、散気管２４ａからの気泡によって、捕捉布１４に捕捉されている餌が捕捉布１４から分離する。洗浄槽２４の水中には剥離した餌が溜まってくるので適切に排水されて処分される。
【００５０】
上述した構成により、逆洗用の洗浄水３が不要となり、第１、第２実施形態より一層節水となる。
【００５１】
図４は、本発明の魚類水槽設備１０の第４実施形態を示す平面図である。
この図において、本発明の魚類水槽設備１０は、第３実施形態と同様であるが、捕捉布１４と捕捉布移動装置１６は、水槽１２の全面ではなく、その一部（この例では左端部）のみを覆っている。給餌装置２３は、魚類水槽設備１０の設置位置に設置するのがよい。
その他の構成は、第３実施形態と同様である。
この構成により、魚類水槽設備１０のない部分の水槽１２の上面を開放することができ、水槽１２の内部へのアクセスが容易になる。
【００５２】
図５は、本発明の魚類水槽設備１０の第５実施形態を示す側面断面図である。
この例において、捕捉布１４は、両端部を有し、幅が一定のロングベルト１４Ｂである。ロングベルト１４Ｂは、両端が連結されていない点で、上述したエンドレスベルト１４Ａと相違するが、その他の点では同じである。
【００５３】
捕捉布移動装置１６は、ロングベルト１４Ｂを水槽１２の底面１２ａに沿って案内する第２ベルト駆動装置１７Ｂである。
【００５４】
第２ベルト駆動装置１７Ｂは、複数（この例で２本）の案内ローラ２６と１対の巻取装置２７とを有する。
案内ローラ２６は、軸心を自由回転可能に支持された円筒形部材であり、水槽１２の内部と外部との間でロングベルト１４Ｂを案内する。
１対の巻取装置２７は、水槽１２の外部において、ロングベルト１４Ｂの両端部をそれぞれ巻き取りする装置であり、巻き取りと巻き戻しが電動機により可能に構成されている。
【００５５】
この構成により、１対の巻取装置２７を同期させて、一方で巻き取り、他方で巻き戻しすることにより、ロングベルト１４Ｂ（捕捉布１４）を底面１２ａに展張させたまま、ロングベルト１４Ｂの移動方向を交互に変更することで、その一部を水槽１２の内壁に沿って外部まで復帰可能（リバーシブル）に移動することができる。
【００５６】
図５において、捕捉布洗浄装置１８は、巻取装置２７の巻き取り軸から洗浄水３を外方に噴出してロングベルト１４Ｂを逆洗する第２逆洗装置２１Ｂと、洗浄水３を水中沈降物２と共に回収する排液貯槽２２とを有する。
なおこの例では、捕捉布洗浄装置１８を１対の巻取装置２７にそれぞれ設けているが、いずれか一方のみでもよい。
【００５７】
この構成により、第２逆洗装置２１Ｂにより、ロングベルト１４Ｂを洗浄水３で逆洗して、水中沈降物２を適切に排出、処分することができる。
【００５８】
図６は、本発明の魚類水槽設備１０の第６実施形態を示す側面断面図である。
この図において、魚類水槽設備１０は、水槽１２に隣接する洗浄槽２４を備える。洗浄槽２４には、散気管２４ａが設置されており、洗浄槽２４内の水中に空気を供給し、内部を曝気するようになっている。
第２ベルト駆動装置１７Ｂは、この例では５本の案内ローラ２６を備え、ロングベルト１４Ｂを洗浄槽内に案内する。
なおこの例では、上述した捕捉布洗浄装置１８は省略されている。
【００５９】
上記本発明の構成によれば、残餌又は糞からなる水中沈降物２を捕捉する透水性の捕捉布１４が、水槽１２の底面１２ａに沿って展張されるので、水中沈降物２を確実に、捕捉布上に捕捉することができる。
【００６０】
また、捕捉布移動装置１６が、捕捉布１４を底面１２ａに展張させたまま、その一部を水槽１２の内壁に沿って外部まで復帰可能に移動するので、残餌や糞からなる水中沈降物２を短時間（例えば１０〜３０分間）で除去することができる。またこの構成により、底部の水中沈降物２の取り残しを少なくできる。さらに、捕捉布１４が内壁に沿って移動するので、強い水流が発生せず、魚類への悪影響を少なくできる。
【００６１】
さらに、捕捉布移動装置１６は捕捉布１４を外部まで移動するが、捕捉布１４は透水性であるので、捕捉布１４から水槽水１は落下して水槽内に戻り、水槽水１の排出を少なく抑えることができ、水槽１２の水の頻繁な交換や掛け流しに比べて、大幅に節水となる。
また、餌は腐敗する前に迅速に水槽外に排出されるので、酸素を消費したり、病原菌の発生源となったり、餌から溶出した有機物や栄養塩で周囲の水を汚染させたりするという問題の発生を防止できる。
【００６２】
また、水槽１２の外部において、捕捉布洗浄装置１８が、捕捉布１４に捕捉された水中沈降物２を除去し捕捉布１４を洗浄するので、捕捉布１４は目詰まりを除去されて、繰り返し使用でき、メンテナンスの必要性を低減できる。
【００６３】
なお、本発明は上述した実施形態に限定されず、特許請求の範囲の記載によって示され、さらに特許請求の範囲の記載と均等の意味および範囲内でのすべての変更を含むものである。
【符号の説明】
【００６４】
１  水槽水、２  水中沈降物、１０  魚類水槽設備、１２  水槽、１２ａ  底面、１２ｂ  側壁、１４  捕捉布、１４Ａ  エンドレスベルト、１４Ｂ  ロングベルト、１６  捕捉布移動装置、１７Ａ  第１ベルト駆動装置、１７Ｂ  第２ベルト駆動装置、１８  捕捉布洗浄装置、１９ａ  エンドレスチェーン、１９ｂ  スプロケット、１９ｃ  回転駆動装置、２０  水平案内部、２１Ａ  第１逆洗装置、２１Ｂ  第２逆洗装置、２２  排液貯槽、２３  給餌装置、２４  洗浄槽、２４ａ  散気管、２６  案内ローラ、２７  巻取装置
【図１】
2016054679.tif 000003
【図２】
2016054679.tif 000004
【図３】
2016054679.tif 000005
【図４】
2016054679.tif 000006
【図５】
2016054679.tif 000007
【図６】
2016054679.tif 000008